(57)【要約】【課題】屋外側への方立のアルミ露出部分が極力少なく構成された建具を提供すること。【解決手段】矩形に枠組みされた枠体内にガラス３５が配置される建具であって、枠体は、屋外側における見付方向の寸法Ｌ１と、屋内側における見付方向の寸法Ｌ２とが異なる方立２５を有し、方立２５の屋外側の部分と方立２５の屋内側の部分とのうちの見付方向の寸法が小さい方の部分には、巾木の小口面が当接している建具１である。枠体２は無目を有し、方立２５は、方立本体２５１と方立本体２５１とガラス３５との間に介在する押縁２５６とを有し、押縁２５６の下端部は、巾木の上端面に当接し、押縁２５６の上端部は、無目の下端面に当接する。【選択図】図５
2020041380.tif 000002
【特許請求の範囲】
【請求項１】
矩形に枠組みされた枠体内にガラスが配置される建具であって、
前記枠体は、屋外側における見付方向の寸法と、屋内側における見付方向の寸法とが異なる方立を有し、
前記方立の屋外側の部分と前記方立の屋内側の部分とのうちの見付方向の寸法が小さい方の部分には、巾木の小口面が当接している建具。
【請求項２】
前記枠体は無目を有し、
前記方立は、方立本体と、前記方立本体と前記ガラスとの間に介在する押縁とを有し、
前記押縁の下端部は、前記巾木の上端面に当接し、前記押縁の上端部は、前記無目の下端面に当接する請求項１に記載の建具。
【請求項３】
前記方立の屋外側に位置する前記方立本体の部分である屋外側本体部と、前記巾木の小口面との間には、シート状の乾式シールが設けられている請求項２に記載の建具。
【請求項４】
前記枠体は、矩形に枠組みされた無目と下枠と縦枠と前記方立とを有し、
前記ガラスは、前記無目と前記下枠と前記縦枠とにより３辺が支持されている請求項１〜請求項３のいずれかに記載の建具。
【請求項５】
前記枠体内に配置され左右方向に走行可能な障子を備え、
前記方立において、屋内側の見付方向の寸法は、屋外側の見付方向の寸法よりも大きく、
前記方立の屋内側の部分には、前記障子の戸尻側における人の存在の有無を検知するセンサが設けられている、自動ドアにより構成される請求項１〜請求項４のいずれかに記載の建具。
【発明の詳細な説明】
【技術分野】
【０００１】
本発明は、建具に関する。
【背景技術】
【０００２】
従来より、例えばコンビニエンスストア等の店舗の出入口には、建具としての自動ドア等が設けられている。自動ドアにおいては、障子を左右方向に走行可能に支持する無目の中に、障子を左右方向に走行させるエンジン装置としての駆動ユニットが収納されている（例えば、特許文献１参照）。
【先行技術文献】
【特許文献】
【０００３】
【特許文献１】特許第５４６３３７７号公報
【発明の概要】
【発明が解決しようとする課題】
【０００４】
自動ドアにおいては、ガラスパネルの端部が収容されるガラス溝内の止水をする場合、ガラス溝内に湿式シール処理が施される構成が採られる場合がある。また、方立において室外側が室内側より大きい断面形状を有する構成が採られる場合がある。この場合には、方立の形状に合わせて、方立または巾木を切欠く必要がある。
【０００５】
また、上記いずれの場合においても、屋外側の方立見付寸法は、吊り障子により構成されるドア本体の縦框並みで大きく、屋外側への、方立を構成するアルミ露出部分を極力少なくしたいという要望には応えきれていなかった。
【０００６】
本発明は、屋外側への方立のアルミ露出部分が極力少なく構成された建具を提供することを目的とする。
【課題を解決するための手段】
【０００７】
上記目的を達成するため本発明は、矩形に枠組みされた枠体（例えば、後述の枠体２）内にガラス（例えば、後述のガラスパネル３５）が配置される建具であって、前記枠体は、屋外側における見付方向の寸法（例えば、後述の寸法Ｌ１）と、屋内側における見付方向の寸法（例えば、後述の寸法Ｌ２）とが異なる方立（例えば、後述の方立２５）を有し、前記方立の屋外側の部分と前記方立の屋内側の部分とのうちの見付方向の寸法が小さい方の部分（例えば、後述の屋外側本体部２５１１）には、巾木（例えば、後述の下枠２２）の小口面が当接している建具（例えば、後述の引戸１）を提供する。
【０００８】
また、記枠体は無目（例えば、後述の無目２４）を有し、前記方立は、方立本体と、前記方立本体と前記ガラスとの間に介在する押縁（例えば、後述の押縁２５６）を有し、前記押縁の下端部は、前記巾木の上端面に当接し、前記押縁の上端部は、前記無目の下端面に当接することが好ましい。
【０００９】
また、前記方立の屋外側に位置する前記方立本体の部分である屋外側本体部（例えば、後述の屋外側本体部２５１１）と、前記巾木の小口面との間には、シート状の乾式シール（例えば、後述のシーラー２５５）が設けられていることが好ましい。
【００１０】
また、前記枠体は、矩形に枠組みされた無目と下枠（例えば、後述の下枠２２）と縦枠（例えば、後述の縦枠２３）と前記方立とを有し、前記ガラスは、前記無目と前記下枠と前記縦枠とにより３辺が支持されていることが好ましい。
【００１１】
また、前記枠体内に配置され左右方向に走行可能な障子（例えば、後述の吊り障子４）を備え、前記方立において、屋内側の見付方向の寸法（例えば、後述の寸法Ｌ２）は、屋外側の見付方向の寸法（例えば、後述の寸法Ｌ１）よりも大きく、前記方立の屋内側の部分には、前記障子の戸尻側における人の存在の有無を検知するセンサ（例えば、後述のセンサ２５７）が設けられていることが好ましい。
【発明の効果】
【００１２】
本発明によれば、屋外側への方立のアルミ露出部分が極力少なく構成された建具を提供することができる。
【図面の簡単な説明】
【００１３】
【図１】本発明の一実施形態に係る建具を示す正面図である。
【図２】上記実施形態に係る建具における吊り障子を示す縦断面図である。
【図３】上記実施形態に係る建具を示す横断面図である。
【図４】上記実施形態に係る建具の無目内部アタッチメントの下部を示す拡大断面図である。
【図５】上記実施形態に係る建具の方立を示す拡大断面図である。
【図６】上記実施形態に係る建具の戸当りを示す拡大断面図である。
【図７】上記実施形態に係る建具における無目において無目内部アタッチメント及び無目上部アタッチメントを用いない場合の構成を示す縦断面図である。
【発明を実施するための形態】
【００１４】
以下、本発明の実施形態について、図面を参照しながら詳しく説明する。なお、本明細書において、「見付方向」とは、建物に形成された開口部に納められた例えば自動ドアの引戸等の引戸１の上枠、下枠の長手方向（すなわち、ガラスや吊り障子４の面内方向）を意味し、「見込方向」とは、屋内外方向（すなわち、奥行き方向）を意味する。
【００１５】
本発明の一実施形態に係る建具を構成する引戸１について説明する。図１は、建具を構成する引戸１を示す正面図である。
引戸１は、建物の開口部１０に取り付けられる枠体２と、枠体２内においてスライド可能な吊り障子４と、吊り障子４の振れを抑えると共に吊り障子４の移動を案内するレール９（図２等参照）と、を備える片引戸である。以下の説明においては、方立２５は、ガラスパネル３５が配置される障子の縦框や枠体の縦枠を構成する。また、吊り障子４の下框４２や下枠２２は、巾木を構成する。また、無目２４は、ガラスパネル３５が配置される障子の上框や上枠を構成する。
【００１６】
枠体２は、上枠２１と、下枠２２と、左右の縦枠２３，２３と、無目２４と、方立２５と、吊束２６を有しており、上枠２１と、縦枠２３，２３と、により矩形に枠組みされる。
【００１７】
無目２４は、上枠２１、縦枠２３，２３、下枠２２、及び、方立２５、吊束２６と共に枠組みされてＦＩＸ部枠体３０を構成する。ＦＩＸ部枠体３０の内部には、ＦＩＸ板としてのガラスパネル３５が嵌め込まれる。ＦＩＸ部枠体３０を構成する下枠２２は、床面１０２（図２参照）上に配置される。
【００１８】
吊り障子４は、框体４０と、框体４０の内部に嵌め込まれるガラスパネル４５と、を備える。框体４０は、上框４１と、下框４２と、戸先框４３と、戸尻框４４と、を框組みすることで構成される。框体４０を構成する下框４２は、床面１０２よりも上に配置される。
【００１９】
図２は、吊り障子４の縦断面図である。
上枠２１は、上枠本体２１１を備える。上枠本体２１１の上部には、当該上部に固定される上枠本体上側部２１３が設けられている。上枠本体上側部２１３の周縁部のコの字状の係止部２１３１が、上枠本体２１１の上面に形成された凹部の周囲に設けられ凹部の中央へ向かって突出する周縁部２１１６に係止することにより、中央部に上方向へ突出部２１３２を有する上枠本体上側部２１３が、上枠本体２１１の上部に固定されている。
【００２０】
上枠本体２１１の下部における見込方向の屋外側寄りの部分には、下側へ開口するガラスパネル支持凹部２１１１が形成されている。ガラスパネル支持凹部２１１１においては、ガラスパネル３５は、バックアップ材２１１３によって挟まれて支持されている。更にバックアップ材２１１３の下方には、シール材２１１４が塗工される。上枠２１は、吊束２６の上端部に接続されており、無目２４は、吊束２６の下端部に接続されている。これにより、無目２４の水平方向且つ見付方向における中央部は、上枠２１に吊られた構造をなしている。
【００２１】
上枠本体２１１の上部における見込方向の屋内側端部には、上枠用アタッチメント２１５が固定されている。上枠用アタッチメント２１５は、図２に示す見込方向及び上下方向に平行な縦断面では、屋外側に向かって開口するコの字形状に形成されている。コの字形状の上枠用アタッチメント２１５の下壁２１５１は、断面Ｌ字形状に形成された連結部材２１６の下壁２１６１にビス止めされて固定されている。そして、断面Ｌ字形状に形成された連結部材２１６の側壁２１６２は、上枠本体２１１の屋内側の側壁にビス止めされて固定され、これにより、上枠用アタッチメント２１５は、上枠本体２１１に固定されている。
【００２２】
無目２４は、屋外側に配置された無目本体外側部２４０１と、屋内側に配置された無目本体内側部２４０７とを有しており、無目内部アタッチメント２４６及び無目上部アタッチメント２４７を介して無目本体外側部２４０１と無目本体内側部２４０７とが組合されるか、又は、無目本体外側部２４０１と無目本体内側部２４０７とが直接組合されることにより、中空部を有する無目中央本体２４２が構成される。
【００２３】
具体的には、無目本体外側部２４０１は、外側上部壁部２４０２と、外側側部壁部２４０３と、外側下壁部２４０４とを有している。外側上部壁部２４０２の屋内側の端部は、コの字形状に形成された屋内側係止部２４０６を有している。外側上部壁部２４０２の屋外側の端部は、屋外側へ突出する部分と、これに対して分岐して屋外側の下方向へ延びて外側上部壁部２４０２に一体的に接続されている部分とを有する屋外側端部ガラスパネル支持部２４０５を有している。屋外側端部ガラスパネル支持部２４０５は、無目２４の上部の内部の空間の内方へ突出して無目２４の上部の内部の空間を狭める内側凸部を構成する。屋外側端部ガラスパネル支持部２４０５の中央部には、溝状部が設けられており、溝状部に、屋内側に延びる押縁２４５の被固定部２４５１が係合することにより、押縁２４５が屋外側端部ガラスパネル支持部２４０５に固定されている。押縁２４５の上部は中空部を有し、下部は、上部の屋外側の端部から下方向へ板状に形成されて延びている。
【００２４】
無目中央本体２４２は、屋外側に位置し且つ下方へ突出する中空部である屋外下方突出部２４２２と、無目２４の見込方向の中央に位置し且つ下方へ突出する屋外下方突出部２４２３とを有している。
【００２５】
無目中央本体２４２の屋外側端部ガラスパネル支持部２４０５と押縁２４５との間には、上側へ開口するガラスパネル支持凹部２４１１が形成されている。ガラスパネル支持凹部２４１１においては、ガラスパネル３５の端部がセッティングブロック２４１２に当接し、ガラスパネル３５は、バックアップ材２４１３によって挟まれて支持されている。更にバックアップ材２４１３の上方には、シール材２４１４が塗工される。
【００２６】
図４は、建具を構成する引戸１の無目内部アタッチメント２４６の下部を示す拡大断面図である。
図４等に示すように、屋外下方突出部２４２２と屋外下方突出部２４２３との間には、下側へ開口するガラスパネル支持凹部２４３１が形成されている。ガラスパネル支持凹部２４３１においては、ガラスパネル３５は、バックアップ材２４３３によって挟まれて支持されている。更にバックアップ材２４３３の下方には、シール材２４３４が塗工される。
【００２７】
無目内部アタッチメント２４６は、例えば、アルミニウムを押し出し成型することによって形成され、内部が３つの空間に仕切られ、図２に示す見込方向及び上下方向に平行に断面ではＬ字形状に形成されている。無目内部アタッチメント２４６の上部２４６１は、内部が３つの空間に仕切られた無目内部アタッチメント２４６の下部の屋内側端部から、上方向に延びる板状に形成されている。上部２４６１の上端部は、無目本体外側部２４０１の屋外側端部ガラスパネル支持部２４０５から見込方向屋内側へ延びる被固定部２４１５にビス止めされることにより固定されている。
【００２８】
無目内部アタッチメント２４６の下部は、図４に示すように、３つの空間のうちの上に位置する空間が形成された下部上側部２４６２と、３つの空間のうちの下に位置する空間が形成された下部下側部２４６３と、下部上側部２４６２の下側であって且つ下部下側部２４６３の屋外側に位置する下部中間部２４６４と、を有している。下部上側部２４６２、下部下側部２４６３、下部中間部２４６４は、それぞれ図２に示す縦断面で矩形に形成されている。下部上側部２４６２は、無目内部アタッチメント２４６の上部とともに、駆動ユニット２１２を支持し、駆動ユニット２１２の見込方向屋外側への移動を規制する。下部下側部２４６３及び下部中間部２４６４は、駆動ユニット２１２を下側から支持する。そして、無目内部アタッチメント２４６は、被固定部２４１５及びガラスパネル支持凹部２４３１の底面２４３６とビス２４３７により固定されている。そのため、駆動ユニット２１２の荷重は、無目内部アタッチメント２４６を介して無目２４で支持される。
【００２９】
このように駆動ユニット２１２が支持されることにより、後述のように無目内部アタッチメント２４６及び無目上部アタッチメント２４７を用いずに無目２４を構成する場合に形成されていた空間２４９（図７参照）に、駆動ユニット２１２が図７に示す位置よりも上方に位置していることで、図２に示すように駆動ユニット２１２の上部が入り込んでいる。これに伴い、駆動ユニット２１２により駆動される吊り障子４の上框４１は、図７に示す構成の場合と比較して、図２に示すように上方に位置し、無目２４の内部に収容され、上框４１は、無目内部アタッチメント２４６の屋内側に位置している。
図７は、建具を構成する引戸１における無目２４において無目内部アタッチメント２４６及び無目上部アタッチメント２４７を用いない場合の構成を示す縦断面図である。
【００３０】
図４に示すように、下部中間部２４６４の下壁は、ガラスパネル支持凹部２４３１を形成している外側下壁部２４０４の部分にビス留めされることにより固定されている。下部下側部２４６３の見込方向屋外側の側壁は、屋外側へ突出する凸部２４６７が設けられており、凸部２４６７は屋外下方突出部２４２３の見込方向屋内側の端面に形成されモヘアを固定可能なモヘア固定凹部２４２４に係合している。また、下部下側部２４６３の見込方向屋内側の側壁の下部には、モヘア固定凹部２４６５が形成されており、モヘア固定凹部２４６５にはモヘア２４６６が固定されている。下部下側部２４６３の見込方向屋内側の側壁の上部には、上方向へ延びる板状の被固定壁部２４２７が設けられている。
【００３１】
無目本体内側部２４０７は、無目２４において屋内側に配置され、板状に形成されている。無目本体内側部２４０７の上端部は、屋外側へ向かって突出する係止部２４０８を有している。
【００３２】
無目本体内側部２４０７の上側の係止部２４０８と、無目本体外側部２４０１の屋内側係止部２４０６との間には、無目上部アタッチメント２４７が配置されている。無目上部アタッチメント２４７は、中空部を有し下部が上部に対して拡大した形状に形成されており、例えば、アルミニウムを押し出し成型することによって形成することができる。
【００３３】
無目上部アタッチメント２４７の屋外側の部分には、屋外側へ突出するフック状の係止部２４７１が設けられている。係止部２４７１がコの字形状の屋内側係止部２４０６の下側の端部に係止することにより、無目本体外側部２４０１に無目上部アタッチメント２４７は連結されている。また、無目上部アタッチメント２４７の屋内側の部分には、屋内側へ突出するコの字形状の係止部２４７２が設けられている。係止部２４７２の下側の部分が無目本体内側部２４０７の係止部２４０８に係止することにより、無目本体内側部２４０７に無目上部アタッチメント２４７は連結されている。また、無目上部アタッチメント２４７には、見込方向へ無目本体内側部２４０７とともにビスが貫通しており、これにより無目上部アタッチメント２４７は無目本体内側部２４０７にビス留めされている。
【００３４】
無目２４は、図２に示すように、無目内部アタッチメント２４６及び無目上部アタッチメント２４７を介して無目本体外側部２４０１と無目本体内側部２４０７とが組合されることにより、無目２４の見込方向の寸法（図２における左右方向）が拡げられる。また、図７に示すように、無目内部アタッチメント２４６及び無目上部アタッチメント２４７が取り外されて、無目本体外側部２４０１と無目本体内側部２４０７とが直接連結されることにより、無目２４の見込方向における寸法（図７における左右方向）が狭められる。
【００３５】
駆動ユニット２１２は、図示せぬ駆動装置を有しており、この駆動装置によって吊り障子４を水平方向且つ見付方向にスライド可能である。駆動ユニット２１２には、図示しない検知センサが設けられており、この検知センサにて人体などが検出された際に、吊り障子４がスライドして建物開口部１０が開放されるように構成されている。なお、検知センサについては、本実施例のように駆動ユニット２１２に設けられる以外に、天井など、様々な場所に設けられてもよい。
【００３６】
下枠２２は、下枠２２の上部に配置された中空部を有するホロー構造である下枠上部本体２２１と、下枠２２の下部に配置された中空部を有するホロー構造である下枠下部本体２２２と、下枠上部本体２２１と下枠下部本体２２２との間に配置された中空部を有するホロー構造である下枠中部本体２２３とを有している。
【００３７】
下枠上部本体２２１の上部における見込方向の中央位置には、上側へ開口するガラスパネル支持凹部２２１１が形成されている。具体的には、下枠中部本体２２３の屋外側の上端部は、屋外側の下方向へ延びて、下枠中部本体２２３の屋外側の側壁に接続されている。当該屋外側の下方向へ延び始める基部の部分には、溝状部が設けられており、溝状部に、屋内側に延びる押縁２２５の被固定部２２５１が係合することにより、押縁２２５が下枠中部本体２２３に固定されている。押縁２２５の上部は中空部を有し、下部は、上部の屋外側の端部から下方向へ板状に形成されて延びている。そして、ガラスパネル支持凹部２２１１は、下枠上部本体２２１と押縁２２５との間に形成されている。ガラスパネル支持凹部２２１１においては、ガラスパネル３５の端部がセッティングブロック２２１２に当接し、ガラスパネル３５は、バックアップ材２２１３によって挟まれて支持されている。更にバックアップ材２２１３の上方には、シール材２２１４が塗工される。
【００３８】
図３は、建具を構成する引戸１を示す横断面図である。
縦枠２３は、縦枠本体２３１を有している。見込方向屋外側に向かって縦枠本体２３１の右側には、当該右側を覆うようにして固定される縦枠本体外側部２３３が設けられている。縦枠本体外側部２３３の周縁部において縦枠本体外側部２３３の方向に延びる係止部２３３１が、縦枠本体２３１の周縁部に係止することにより、中央部に見付方向外方へ突出板部２３３２がビス留めされた縦枠本体外側部２３３が、縦枠本体２３１に固定されている。
【００３９】
縦枠本体２３１及び縦枠本体外側部２３３の屋外側寄りの部分には、それぞれ見付方向且つ水平方向へ開口するガラスパネル支持凹部２３１１、２３３５が形成されている。図３の左側の縦枠２３のガラスパネル支持凹部２３３５においては、ガラスパネル３５は、バックアップ材２３２３によって挟まれて支持されている。更にバックアップ材２３２３よりも方立２５寄りには、シール材２３２４が塗工される。
【００４０】
方立２５は、２つに分割された中空部を有するホロー構造である方立本体２５１を有しており、方立本体２５１は、屋外側に位置する屋外側本体部２５１１と、屋内側に位置する屋内側本体部２５１６と、を有している。屋外側本体部２５１１は、図３に示す横断面において矩形に形成されており、縦枠２３に対向する対向面（図３における屋外側本体部２５１１の左側の面）には、シート状の乾式のシール材であるシーラー２５５が配置されている。シーラー２５５としては、ブチルゴムが用いられる。更に、方立本体２５１の長手方向における方立本体２５１の中央部にはバックアップ材２５１３が配置され、更にバックアップ材２５１３よりも屋外側には、シール材２５１４が塗工される。ガラスパネル３５の見付方向の方立２５寄りの端部は、バックアップ材２５１３及びシール材２５１４に当接している。
【００４１】
屋内側本体部２５１６は、図３に示す横断面において矩形に形成されており、障子４の戸尻側における人等の存在の有無を検知するセンサ２５７が設けられている、このように、屋内側本体部２５１６は、センサ２５７を収容し、センサ２５７に接続される導線等を収容するため、図５に示すように、見込方向且つ水平方向における屋内側本体部２５１６の寸法Ｌ２は、同方向における屋外側本体部２５１１の寸法Ｌ１よりも大きく構成されている。
図５は、建具を構成する引戸５の方立２５を示す拡大断面図である。
【００４２】
ガラスパネル３５が配置されている方立２５の側に対する反対側（図３における方立２５の右端面）においては、屋外側本体部２５１１の端面と屋内側本体部２５１６の端面とは一致しており、方立２５のガラスパネル３５が配置されている側においては、屋内側本体部２５１６は、屋外側本体部２５１１の端面よりも図３の左側へ突出している。このため、図３に示す横断面において方立２５はＬ字形状に形成されている。
【００４３】
方立２５は、押縁２５６を有している。押縁２５６は、図３、図５に示す横断面において中空の矩形に形成されている。当該端面とは反対側の押縁２５６の端面は、図３における屋内側本体部２５１６の左側の端面に一致している。押縁２５６はビス留めによって屋内側本体部２５１６に固定されている。
【００４４】
押縁２５６は、ガラスパネル３５と屋内側本体部２５１６との間に、バックアップ材２５１３及びシール材２５１４を介して介在している。シール材２５１４は、バックアップ材２５１３よりも屋外側本体部２５１１から離れた側（図５における左側）に施工されている。
【００４５】
このように方立２５は、屋外側において押縁等によりガラスパネル３５を支持しておらず、屋外側からの風によるガラスパネル３５の荷重を支えて（支持して）いない。無目２４、下枠２２、縦枠２３は、屋外側からの風によるガラスパネル３５の荷重を支えて（支持して）いる。従って、ガラスパネル３５は、３辺が支持された、いわゆる３辺支持の状態で枠体２に配置されている。
【００４６】
図２等に示すように、押縁２５６の下端部は、巾木を構成する下枠２２の下枠上部本体２２１の上端面に当接している。押縁２５６の上端部は、無目２４の屋外下方突出部２４２３の下端面に当接している。このため巾木を構成する下枠２２の屋内側の端面、屋外側の端面は、見付方向且つ水平方向において、屋外側本体部２５１１（図３参照）に至るまで延びている。
【００４７】
図６は、建具を構成する引戸１の戸当り２３５を示す拡大断面図である。
図３における右側の縦枠２３には、戸当り２３５が設けられている。戸当り２３５は、図６に示すように、縦断面で見た形状が、一対の側壁２３５１、２３５２と、一対の側壁２３５１、２３５２を互いに接続する中央壁２３５３と、を有する略コの字形状に形成されており、一対の側壁２３５１、２３５２の先端部が、縦枠本体２３１の対向側の面に当接している。また、戸当り２３５の中央部は、縦枠本体２３１の対向側の面に近づくように突出する被固定凸部２３５５を有しており、被固定凸部２３５５は、ビス２３５６によって縦枠本体２３１の対向側の面に固定されている。一対の側壁２３５１、２３５２の先端部と被固定凸部２３５５の端面とは、見込方向及び上下方向に平行な同一面上に位置している。
一対の側壁２３５１、２３５２の先端部と被固定凸部２３５５の端面との位置関係は、この位置関係に限定されず、被固定凸部２３５５の端面が、一対の側壁２３５１、２３５２の先端部よりも縦枠本体２３１の対向側の面に向かって突出していてもよい。これにより、被固定凸部２３５５の縦枠本体２３１への固定に際して、被固定凸部２３５５が縦枠本体２３１へ当接する前に、一対の側壁２３５１、２３５２の先端部が縦枠本体２３１へ当接しないようにすることが可能となる。
【００４８】
戸当り２３５の中央部の被固定凸部２３５５の反対側は、被固定凸部２３５５の形状に倣って窪んだ凹部が形成されており、この凹部を塞ぐように、パッキンにより構成される衝撃緩衝材２３５７が固定されている。衝撃緩衝材２３５７の屋外側の部分には、吊り障子４に向かって突出する緩衝材凸部２３５８が設けられている。一対の側壁のうちの屋内側の側壁には、モヘアを固定可能なモヘア固定凹部２３５９が形成されている。戸当り２３５は、例えば、アルミニウムを押し出し成型することによって形成することができる。
【００４９】
図２に示すように、上框４１は、上框本体中央部４１１を有している。上框本体中央部４１１には、見付方向内側（図２中下側）へ向って開口する上框ガラスパネル支持凹部４１３が形成されている。上框ガラスパネル支持凹部４１３には、ガラスパネル４５の上部が挿入されて支持されている。ガラスパネル４５は、バックアップ材４１１３によって挟まれて支持されている。バックアップ材４１１３は、断面Ｌ字状に形成された固定部材４１１５によって、上框４１に固定されている。更にバックアップ材４１１３の見付方向内側（図２中下側）には、シール材４１１４が塗工される。
【００５０】
上框本体中央部４１１の上側には、被吊り下げ部４１４が、壁部４１６１によって隔てられて設けられている。被吊り下げ部４１４には、上側へ向って開口する被吊り下げ凹部４１３１が形成されている。被吊り下げ凹部４１３１においては、被吊り下げ凹部４１３１の開口を塞ぐように、吊金具４１３２が上框４１に固定されている。吊金具４１３２は、ボルト２１２２により、駆動ユニット２１２の駆動アーム２１２１の下端部に固定されている。図示しない駆動装置が駆動することにより、駆動ユニット２１２は、図２の紙面の裏面と表面とを結ぶ方向に、吊り障子４を移動させる。
【００５１】
下框４２は、中空部を有する断面矩形のホロー構造である下框本体中央部４２１を有している。下框本体中央部４２１の上側には、下框本体上部４２２が壁部４２６２によって隔てられて設けられている。下框本体上部４２２には、ガラスパネル４５の見付方向内側（図２中上側）へ向って開口する下框ガラスパネル支持凹部４２３が形成されている。下框ガラスパネル支持凹部４２３には、ガラスパネル４５の下部が挿入されて支持されている。ガラスパネル４５は、端部がセッティングブロック４２１２に当接し、バックアップ材４２１３によって挟まれて支持されている。更にバックアップ材４２１３の上側には、シール材４２１４が塗工される。
【００５２】
下框本体中央部４２１の下側には、下框本体下部４２４が、壁部４２６１によって隔てられて設けられている。下框本体下部４２４の下端部は、振れ止め４２７を有している。振れ止め４２７は、レール９のレール溝９１内に配置されている。振れ止め４２７の両脇には、下框４２の長手方向に平行にモヘア固定溝が形成されており、モヘア固定溝には、モヘア４２５が下框４２に沿って、それぞれ設けられている。
【００５３】
戸先框４３は、図６に示すように、後述する押縁４３６が固定される、戸当り２３５と同一の構成の戸当り共通部材２３５を有している。戸当り共通部材２３５は、戸当り２３５と同様に図６に示すように、縦断面で見た形状が、一対の側壁２３５１、２３５２と、一対の側壁２３５１、２３５２を互いに接続する中央壁２３５３と、を有する略コの字形状に形成されている。一対の側壁２３５１、２３５２の先端部の角部は、押縁４３６に形成された係合凹部４３６１に係合している。
【００５４】
また、戸当り共通部材２３５の中央部は、図３の右側の縦枠２３から離れるように突出する被固定凸部２３５５を有しており、被固定凸部２３５５は、ガラスパネル４５の端部に所定の隙間を介して対向している。
【００５５】
戸当り共通部材２３５の中央部の被固定凸部２３５５の反対側は、被固定凸部２３５５の形状に倣って窪んだ凹部が形成されており、この凹部を塞ぐように、パッキンにより構成される衝撃緩衝材２３５７が固定されている。衝撃緩衝材２３５７の屋内側の部分には、戸当り２３５に向かって突出する緩衝材凸部２３５８が設けられている。一対の側壁２３５１、２３５２のうちの屋内側の側壁２３５２には、モヘアを固定可能なモヘア固定凹部２３５９が形成されている。
【００５６】
戸当り共通部材２３５の見付方向内側（図６中左側）には、押縁４３６が配置されている。押縁４３６は、横断面で矩形状に形成されている。押縁４３６とガラスパネル４５の側面には、バックアップ材４３１３とシール材４３１４とが設けられている。即ち、ガラスパネル４５は、バックアップ材４３１３によって挟まれて支持されており、一対のバックアップ材４３１３は、一対の押縁４３６によって挟まれている。これにより、縦框としての戸先框４３の戸当り共通部材２３５に固定された押縁４３６は、ガラスパネル４５の側面を支持する。バックアップ材４３１３の見付方向内側（図６中左側）には、シリコーンシールにより構成されるシール材４３１４が塗工される。戸当り共通部材２３５は、例えば、アルミニウムを押し出し成型することによって形成することができる。
【００５７】
図３に示すように、戸尻框４４は、戸先框４３と同様に、後述する押縁４４６が固定される、戸当り２３５と同一の構成の戸当り共通部材２３５を有している。戸当り共通部材２３５は、戸当り２３５と同様に、縦断面で見た形状が、一対の側壁２３５１、２３５２と、一対の側壁２３５１、２３５２を互いに接続する中央壁２３５３と、を有する略コの字形状に形成されている。一対の側壁２３５１、２３５２の先端部の角部は、押縁４４６に形成された係合凹部４４６１に係合している。
【００５８】
また、戸当り共通部材２３５の中央部は、図３の左側の縦枠２３から離れるように突出する被固定凸部２３５５を有しており、被固定凸部２３５５は、ガラスパネル４５の端部に所定の隙間を介して対向している。
【００５９】
戸当り共通部材２３５の中央部の被固定凸部２３５５の反対側は、被固定凸部２３５５の形状に倣って窪んだ凹部が形成されており、この凹部を塞ぐように、パッキンにより構成される衝撃緩衝材２３５７が固定されている。衝撃緩衝材２３５７の屋外側の部分には、戸当り２３５に向かって突出する緩衝材凸部２３５８が設けられている。一対の側壁２３５１、２３５２のうちの屋外側の側壁２３５２には、モヘア２３６１を固定可能なモヘア固定凹部２３５９が形成されており、モヘア固定凹部２３５９にはモヘア２３６１が固定されている。
【００６０】
戸当り共通部材２３５の見付方向内側（図３中右側）には、押縁４４６が配置されている。押縁４４６は、横断面で矩形状に形成されている。押縁４４６とガラスパネル４５の側面には、バックアップ材４４１３とシール材４４１４とが設けられている。即ち、ガラスパネル４５は、バックアップ材４４１３によって挟まれて支持されており、一対のバックアップ材４４１３は、一対の押縁４４６によって挟まれている。これにより、縦框としての戸尻框４４の戸当り共通部材２３５に固定された押縁４４６は、ガラスパネル４５の側面を支持する。バックアップ材４４１３の見付方向内側（図３中右側）には、シリコーンシールにより構成されるシール材４４１４が塗工される。戸当り共通部材２３５は、例えば、アルミニウムを押し出し成型することによって形成することができる。
【００６１】
上記構成の建具においては、無目内部アタッチメント２４６及び無目上部アタッチメント２４７を介して無目本体外側部２４０１と無目本体内側部２４０７とが組合されていたが、無目内部アタッチメント２４６及び無目上部アタッチメント２４７を用いずに（又は取り外して）、無目本体外側部２４０１と無目本体内側部２４０７とが直接組合されて、図７に示すように、無目２４Ａが構成されてもよい。
【００６２】
この場合には、無目本体内側部２４０７の係止部２４０８は、コの字形状の屋内側係止部２４０６の下側の端部に係止する。これにより、外側側部壁部２４０３と無目本体内側部２４０７とが直接組合され、上部に空間２４９が形成された無目２４Ａの無目中央本体２４２Ａが構成される。見込方向（図２、図７の左右方向）における無目２４Ａの寸法は、無目内部アタッチメント２４６及び無目上部アタッチメント２４７が用いられていない分だけ、無目内部アタッチメント２４６及び無目上部アタッチメント２４７が用いられている場合の同方向における無目２４の寸法よりも小さい。
【００６３】
以上説明した本実施形態の引戸１によれば、以下のような効果を奏する。
本実施形態においては、無目２４の上部は、無目２４の上部の内部の空間を狭める内側凸部としての屋外側端部ガラスパネル支持部２４０５を有している。また、無目内部アタッチメント２４６及び無目上部アタッチメント２４７が介在しない状態の無目２４の上部には、空間２４９が形成されている。無目２４においては、無目本体外側部２４０１と無目本体内側部２４０７との間に無目内部アタッチメント２４６及び無目上部アタッチメント２４７を配置することにより無目２４の見込み方向の寸法を拡げることが可能である。無目内部アタッチメント２４６及び無目上部アタッチメント２４７により無目２４の見込み方向の寸法が拡がった際に、駆動ユニット２１２の一部は空間２４９に配置され、かつ障子４の上框４１は無目２４に収容される。
【００６４】
このため、断面形状が大きく、在庫や端材に影響が大きい無目中央本体２４２を見込幅の異なる無目２４、２４Ａに兼用とし、無目内部アタッチメント２４６及び無目上部アタッチメント２４７を使用することで、見付寸法を変えることなく見込寸法違いの無目を構成できる。そして無目２４の見込寸法を大きくすることで、無目２４Ａ内部の空間２４９を有効活用でき、上框４１を無目２４内に収容して隠蔽することが出来る。
【００６５】
また、上框４１は、無目内部アタッチメント２４６と無目本体内側部２４０７との間であって、無目内部アタッチメント２４６及び無目上部アタッチメント２４７の下端部及び無目本体内側部２４０７の下端部よりも上側に、上框４１に配置されるガラスパネル４５を支持するための上框ガラスパネル支持凹部４１３を構成する上框４１の部材の端部が配置される。このため、無目２４において、上框４１と無目内部アタッチメント２４６と両方を収納することが可能となる。
【００６６】
また、駆動部材は、無目内部アタッチメント２４６により支持され、これにより、屋外側部としての無目本体外側部２４０１は、無目内部アタッチメント２４６を介して、駆動ユニット２１２の荷重を受けて駆動ユニット２１２を支持する。このため、駆動ユニット２１２を、無目本体内側部２４０７とのみにより直接支持する構成とせずに、駆動ユニット２１２を支持することが可能となる。
【００６７】
また、建具は自動ドアにより構成される。このため、目に付きやすい入口の建具の意匠性を高めることが可能となる。
【００６８】
また、本実施形態においては、枠体２は、屋外側における見付方向の寸法と、屋内側における見付方向の寸法とが異なる方立２５を有する。方立２５の屋外側本体部２５１１には、巾木を構成する下枠２２の小口面が当接している。
【００６９】
このため、吊り障子４により構成されるドア本体の極細縦框意匠に合わせて、より意匠性が求められる方立２５の室外側の部分である屋外側本体部２５１１の屋外側への露出部分を最小限に抑えることが可能となり、且つ、室外側の部分である屋内側本体部２５１６にはセンサ２５７等の入る空間を確保することが可能となる。
【００７０】
また、枠体２は無目２４を有している。方立２５は、方立本体２５１と、方立本体２５１とガラスパネル３５との間に介在する押縁２５６とを有する。押縁２５６の下端部は、巾木を構成する下枠２２の上端面に当接し、押縁２５６の上端部は、無目２４の屋外下方突出部２４２３の下端面に当接する。このため、見込方向における寸法が屋内側と屋外側とで異なる方立２５に対して、屋内側と屋外側とにおいて、巾木を構成する下枠２２の小口面をそれぞれ水平方向に方立本体２５１に突き当てるときに、屋内側と屋外側とで同じ巾木の形状とすることが可能となり、巾木（下枠２２）と方立２５とに切欠き加工を発生させないようにする事が可能となる。
【００７１】
また、方立本体２５１の屋外側本体部２５１１と巾木としての下枠２２の小口面との間には、シート状の乾式シールであるシーラー２５５が設けられている。このため、シーラー２５５による乾式止水構造を実現することができる。
【００７２】
また、枠体２は、矩形に枠組みされた無目２４と下枠２２と縦枠２３と方立２５とを有する。ガラスパネル３５は、無目２４と下枠２２と縦枠２３とにより３辺が支持されている。このため、４辺により支持される場合と比較して、押縁等を使用する数を低減することが可能となる。この結果、建具にかかる費用の削減を図ることが可能となり、また、意匠性を高めることも可能となる。
【００７３】
また、吊り障子４の縦框としての戸先框４３及び戸尻框４４には、押縁４３６、４４６が固定されてガラスパネル４５が保持され、戸先框４３と、枠体２を構成する縦枠２３であって吊り障子４の戸先框４３と対向する縦枠２３に設置された、戸先框４３が当接する戸当り２３５とは、同一の部材により構成されている。
【００７４】
このため、縦框を構成する部材である戸当り共通部材２３５と、縦框が当接する戸当り２３５とを、それぞれ別の部材（材料）で用意する必要がなくなり、在庫や端材等における課題を解消することができる。また、押縁４３６、４４６が戸当り共通部材２３５に固定されるため、耐風圧強度を保持することが可能となる。また、縦框を構成する戸当り共通部材２３５の見付方向における幅を小さくすることができ、戸当り共通部材２３５を戸当り２３５として使用しても違和感がないため、意匠性を向上させることが可能となる。
【００７５】
また、従来では、予め工場において、ガラスパネルに縦框を接着材により接着して障子を製造してから、障子を施工現場へ搬送していた。このため、ガラスパネルが割れてしまった場合には、障子を丸ごと交換する必要があるという問題があった。また、工場において接着材が硬化するまで待つ時間が必要となるという問題があった。
しかし、本実施形態においては、ガラスパネル４５を施工現場に取り寄せ、施工現場において、バックアップ材４３１３、４４１３を配置させ、シール材４３１４、４４１４を塗工し、押縁４３６、４４６を戸当り共通部材２３５に嵌め込んで固定すれば、吊り障子４を組み立てることができる。このため、ガラスパネル４５が割れてしまった場合には、ガラスパネル４５だけ施工現場に取り寄せればよく、また、工場において従来用いられていた接着材が硬化するまで待つ必要をなくすことが可能である。
【００７６】
また、吊り障子４の縦框としての戸先框４３、戸尻框４４は、板状に形成された部材である戸当り共通部材２３５により構成される。このため、戸当り２３５として戸当り共通部材２３５を使用しても、違和感がなく意匠性を高めることが可能となる。また、この構成では縦框を構成する戸当り共通部材２３５のみでガラスパネル４５を支持することは困難であるが、吊り障子４の戸当り共通部材２３５に固定された押縁４３６、４４６は、ガラスパネル４５の側面を支持する。このため、押縁４３６、４４６によるガラスパネル４５の支持により、耐風圧強度を保持することが可能となる。
【００７７】
また、吊り障子４の戸先框４３の屋内側には、モヘア２３６１を取付けるためのモヘア固定凹部２３５９が形成されている。このため、屋外側からモヘア固定凹部２３５９を見えない状態とすることが可能となり、意匠性を高めることが可能となる。
【００７８】
本発明は上記実施形態に限定されるものではなく、本発明の目的を達成できる範囲での変形、改良等は本発明に含まれる。
【００７９】
例えば、本実施形態による建具は、自動ドアにより構成されたが、自動ドアに限定されない。無目には、障子を無目に対して走行させるか又は走行停止させるために駆動する駆動部材が収容されればよい。例えば、建具が自動ドアではない場合には、吊り障子を走行可能とする吊車や、走行停止させるためのブレーキ装置等が無目に収容されていればよい。この場合、方立においては、見付方向且つ水平方向における屋内側本体部２５１６の寸法Ｌ２が大きく確保されているため、方立の強度が高められている。即ち、方立の強度が高く且つ外観の意匠性を高めることが可能となる。また、建具は、カーテンウォールであってもよい。
【００８０】
また、ガラスパネル３５は、無目２４と下枠２２と縦枠２３とにより３辺が支持されていたが、この構成に限定されない例えば、無目と下枠と一対の縦枠とにより４辺が支持されてもよい。
【００８１】
また、戸当りの形状や構成は、本実施形態における戸当り２３５の形状や構成に限定されない。同様に、縦框の形状や構成は、本実施形態における戸先框４３、戸尻框４４の形状や構成に限定されない。また、枠体、障子、無目、方立、框体の構成は、本実施形態における枠体２、吊り障子４、無目２４、方立２５、上框４１、下框４２、戸先框４３、戸尻框４４の構成に限定されない。
なお、本実施形態において、無目内部アタッチメント２４６及び無目上部アタッチメント２４７は、無目本体外側部２４０１及び無目本体内側部２４０７とは別体に構成されるが、例えば、無目内部アタッチメント２４６と無目上部アタッチメント２４７と無目本体外側部２４０１とがあらかじめ一体に成形された形材としても良い。
そして、この形材または無目本体外側部２４０１のいずれか一方を選択し、無目本体内側部２４０７と組み合わせることで、無目２４の見込み方向の寸法を調整可能としても良い。
また、本願発明において、無目内部アタッチメント２４６と無目本体外側部２４０１とをあらかじめ一体に成形しても良いし、無目本体内側部２４０７と無目上部アタッチメント２４７とをあらかじめ一体に成形しても良い。
【符号の説明】
【００８２】
１…引戸（建具）
２…枠体
４…障子
２２…下枠（巾木）
２４…無目
２５…方立
３５…ガラスパネル（ガラス）
４１…上框
２１２…駆動ユニット（駆動部材）
２４６…無目内部アタッチメント
２４７…無目上部アタッチメント
２４９…空間
２５５…シーラー（乾式シール）
２５６…押縁
２５７…センサ
２４０１…無目本体外側部（屋外側部）
２４０５…屋外側端部ガラスパネル支持部（内側凸部）
２４０７…無目本体内側部（屋内側部）
Ｌ１…寸法
Ｌ２…寸法
【図１】
2020041380.tif 000003
【図２】
2020041380.tif 000004
【図３】
2020041380.tif 000005
【図４】
2020041380.tif 000006
【図５】
2020041380.tif 000007
【図６】
2020041380.tif 000008
【図７】
2020041380.tif 000009